(57)【要約】【課題】    ホルダーをスライド板に着脱自在とすることにより、肩紐調整具を後で組み立てることができ、面倒な肩紐挿通作業をする必要がない。肩紐の長さ調整をスライド板のスライドでスムーズにできると共に、長さ調整後は摩擦力以上の力がかかった場合や洗濯によっても、滑りが生じることがなく、吊り上げて形を整える機能を失うことがない。【解決手段】肩紐２の一端に固着したスライド板３と、そのスライド板３と着脱自在のホルダー４とから構成されている。スライド板３をスライドさせることにより、スライド板３とホルダー４との間に挿通される肩紐２の長さを調整自在にする。【選択図】        図１３
2005113306.tif 000002
【特許請求の範囲】
【請求項１】
肩紐の一端に固着したスライド板と、そのスライド板と着脱自在のホルダーとから構成されており、スライド板をスライドさせることにより、スライド板とホルダーとの間に挿通される肩紐の長さを調整自在にしたことを特徴とする肩紐の長さ調整具。
【請求項２】
スライド板の長さ方向に深溝と浅溝を設け、その深溝と浅溝に係合する高突起部と低突起部をホルダーの両側枠に突設し、高突起部と浅溝の係合時にスライド板とホルダーとの隙間が小さくなり、その間に挿通される肩紐を挟圧し、高突起部と深溝の係合時にスライド板とホルダーとの隙間が大きくなり、挟圧を解除し、スライド板をスライドすることにより肩紐の長さを調整自在にする請求項１に記載の肩紐の長さ調整具。
【請求項３】
スライド板は熱可塑性樹脂からなる薄い平板状の表面板と裏面板の２枚とで構成されている請求項１または２に記載の肩紐の長さ調整具。  
【請求項４】
裏面板は裏側に突起爪を設けてあり、その突起爪を肩紐に貫通して表面板と超音波溶着で一体化してある請求項３に記載の肩紐の長さ調整具。
【発明の詳細な説明】
【技術分野】
【０００１】
本発明は、ブラジャー、ボディスーツなどのファンデーション、スリップ、キャミソールなどのランジェリー、水着、インナーウエア、アウターウエアーなどに取り付けられている肩紐の長さ調整具に関するものである。
【背景技術】
【０００２】
例えば、女性用下着の一つであるブラジャーには、カップ布の上部先端とバック布の上部とを連結する肩紐が取り付けられている。この肩紐はブラジャーの着用時に乳房が下方に垂れ下がるのを防ぐと共に、吊り上げて形を整える機能を有している。
【０００３】
ブラジャーの着用者はそれぞれ体格が異なり、乳房の位置にも個人差があることから、肩紐の長さは一様でなく、長くしたり短くしたりして着用した時に適切な位置になるように調整している。その肩紐の長さの調整具としては、図１５に示すように、上横杆２１ａ、中横杆２１ｂ、下横杆２１ｃと上下の紐通し孔２３，２４とからなる薄い金属板を略８字状にプレスで打ち抜いて形成し、表面にポリアミド樹脂またはポリエステル樹脂を被覆した、いわゆるエイト環が多用されている。
【０００４】
この肩紐調整具２１に肩紐２２を通すと、図１６に示すように、中横杆２１ｂの部分で肩紐２２が三重に重なり部分的に厚みが増して突出し、着用者に圧迫感や違和感を与えることになり、薄い生地のアウターウエアーを着用した場合に、肩紐調整具２１の膨らみが表面に現れシルエットが崩れ不体裁になる問題点があった。
【０００５】
また、肩紐調整具２１は肩紐２２を挿通する上下の紐通し孔２３，２４の寸法が大きく、肩紐２２の厚さが相対的に薄い場合には、重ねた肩紐２２，２２間で滑りが発生して肩紐２２が緩み、本来の機能である着用者の乳房の吊り上げによる整形の効果が発揮できなくなる。さらに、仮に適正な肩紐２２の厚さと紐通し孔２３，２４の寸法の組み合わせであったとしても、肩紐２２，２２同士に摩擦力以上の力がかかった場合や洗濯によってやはり滑りが発生し、肩紐本来の吊り上げ機能による整形効果の低下を引き起こす問題点があった。
【０００６】
上記のような問題点を解消する肩紐調整具３１として、図１７，１８に示すように、上横杆３１ａと下横杆３１ｃが中横杆３１ｂより表面側に突出した側面形状が逆くの字状に形成されていると共に、上横杆３１ａと下横杆３１ｃの裏面側に滑り防止の突起３５，３５を設けた肩紐調整具が提案されている。（例えば、特許文献１参照）
【特許文献１】特開平２０００−５４２１３号公報
【発明の開示】
【発明が解決しようとする課題】
【０００７】
しかしながら、上記の逆くの字状の肩紐調整具３１においても、肩紐３２の厚さと調整具３１の上下紐通し孔３３，３４のサイズ不適合による肩紐３２の滑りから発生する緩みの防止は完全でなく、かつ、肩紐調整具全体としての突出部は少なくなるが、中横杆３１ｂが逆に突出し、その部分が肌に当たることから肌当りが悪くなった。また、長さ調整を行う場合も、肩紐の重合部や滑り防止の突起による摩擦などでスムーズに行うことができないと言う問題点があった。
【０００８】
本発明は、上記の問題を解決することを課題として、研究開発されたものであって、ホルダーをスライド板に着脱自在とすることにより、肩紐調整具を後で組み立てることができ、面倒な肩紐挿通作業をする必要がなく、かつ肩紐の長さ調整をスライド板のスライドでスムーズにできると共に、長さ調整後は摩擦力以上の力がかかった場合や洗濯によっても、滑りが生じることがなく、所定の長さを保持でき、肩紐本来の持つ吊り上げて形を整える機能を失うことのない肩紐調整具を提供することを目的とするものである。
【課題を解決するための手段】
【０００９】
上記の課題を解決し、その目的を達成する手段として、本発明は、肩紐の一端に固着したスライド板と、そのスライド板と着脱自在のホルダーとから構成されており、スライド板をスライドさせることにより、スライド板とホルダーとの間に挿通される肩紐の長さを調整自在にしたことを特徴とする肩紐の長さ調整具を開発し、採用した。
【００１０】
また、上記のように構成した肩紐の長さ調整具において、スライド板の長さ方向に深溝と浅溝を設け、その深溝と浅溝に係合する高突起部と低突起部をホルダーの両側枠に突設し、高突起部と浅溝の係合時にスライド板とホルダーとの隙間が小さくなり、その間に挿通される肩紐を挟圧し、高突起部と深溝の係合時にスライド板とホルダーとの隙間が大きくなり、挟圧を解除し、スライド板をスライドすることにより肩紐の長さを調整自在にする肩紐の長さ調整具、およびスライド板は熱可塑性樹脂からなる薄い平板状の表面板と裏面板の２枚とで構成されている肩紐の長さ調整具、および裏面板は裏側に突起爪を設けてあり、その突起爪を肩紐に貫通して表面板と超音波溶着で一体化してある肩紐の長さ調整具を開発し、採用した。
【発明の効果】
【００１１】
本発明は、スライド板をスライドすることにより、スライド板とホルダーとの間に挿通される肩紐を挟圧してロックでき、あるいは解除して肩紐の長さを極めてスムーズに調整することができ、ロックした状態においては、肩紐に摩擦力以上の力がかかったとしても、滑ることがなく、最適な長さを保持でき肩紐本来の吊り上げ機能の低下をきたすことがない。ロックを解除して肩紐を引っ張れば自由に移動して簡単に長さ調整が可能になる。
【００１２】
また、ホルダーはスライド板と着脱自在となっているから、調整具自体が容易に出来上がる。そして、スライド板の表面に折り返した肩紐を重ね、その表面側から被せ押圧すれば簡単に取り付けることができ、従来の調整具のような肩紐を挿通する面倒な作業を省略でき、肩紐取付け時間の大幅な短縮が可能である。また、ホルダーは両側枠の下端部を持ち上げれば簡単に外すことができ、外した状態で肩紐の長さを調整することも可能になる。
【００１３】
スライド板は肩紐の一端部に表面板と裏面板とで堅牢強固に固着されると共に、薄く形成されているから、調整具自体の膨らみが少なく、着用者に与える圧迫感、違和感を軽減でき、薄いアウターウエアーを着用しても、その部分の厚みが外部に現れて不体裁になると言うようなことがない。また、スライド板の表面板と裏面板は超音波溶着であるから、容易で且つ美麗に仕上ることができる。
【発明を実施するための最良の形態】
【００１４】
以下に、本発明の実施の形態を添付図面に基づいて説明すれば、本発明の肩紐調整具１は、肩紐２の一端部に取り付けられたスライド板３と、そのスライド板３と着脱自在のホルダー４とから構成されている。
【００１５】
スライド板３は表面板５と裏面板６で構成されており、ともにポリアセタール、ポリアミドなどの熱可塑性樹脂の薄い平板状の成形品であるが、肩紐２と表面板５と裏面板６をインサート成形することもある。スライド板３の表面板５は、図１，２に示すように、概略方形状の薄板であり、表面５ａの高さ方向の略中央部に隆起部７を幅方向に設けてある。この隆起部７は、基板５に対して垂直面７ａと上方に向かって低くなる傾斜面７ｂとからなる小三角形状のものであり、肩紐２に喰いこむようになっている。８はスライド板３の表面板５の上下両側端に設けた突出部であり、スライドさせた時に後述するホルダー４の両側枠１７，１７の上下端面１７ａ，１７ｂに受け止められるようになっている。さらに、表面板５の裏面５ｂの両側縁から両側面５ｃ，５ｃにかけて長さ方向に深溝９と浅溝１０を連設されていると共に、浅溝１０の上方には半円形状の小突起１１が設けられている。
【００１６】
スライド板３の裏面板６は、図４〜６に示すように、方形状の薄い板体で、幅が前記表面板５より一回り小さく、表面板５の裏面５ｂの両側縁に設けた深溝９，９と浅溝１０，１０の間に納まる大きさであり、高さが上下両側端に設けた突出部８，８、８，８の内側に入る大きさに形成されていて、中央部に２個の透孔１２，１２を穿設してあると共に、裏面側の両側縁に円錐状の突起爪１３を３個ずつ突設してある。このスライド裏面板６は図７に示すように、突起爪１３を肩紐２に突き刺し超音波溶着でスライド表面板５の裏面５ｂと一体化する。
【００１７】
一方、ホルダー４は、図８に示すように、窓部１４の上下に設けた上下横枠１５，１６と両側枠１７，１７とからなる断面略横コの字状に形成されており、その両側枠１７，１７の内壁面に前記スライド板３の深溝９，浅溝１０と係合する高突起部１８と、浅溝１０との係合およびスライド板３の表面板５の裏面５ｂと摺接する低突起部１９を長さ方向に設けてある。２０はスライド板３の半円形状の小突起１１が嵌脱する凹部である。
【００１８】
このように構成した本発明の肩紐調整具１の使用状態を作用、効果と共に説明すると、予め肩紐２の一端部にスライド板３が取り付けられている。すなわち、表面板５と裏面板６を対向させ、裏面板６の突起爪１３を肩紐２に突き刺し、超音波溶着で表面板５と一体化してあるから、堅牢強固となり、きれいに仕上げることができる。そして、肩紐２の他端を図示されていないカップ布の上端に取り付けられている止環に挿通して折り返し、スライド板３の表面板５上に重ね、その折り返し肩紐２ａの表面側からホルダー４を被せ押圧すると、両側枠１７，１７が広がりスライド板３とホルダー４が容易に係合し、肩紐２がスライド板３とホルダー４の間に挿通された状態となり、従来の調整具のような面倒な肩紐を挿通するようなことがない。肩紐２の他端部は図示されていないバック布の止環で結着される。
【００１９】
図１４の係合状態、すなわち、ホルダー４の高突起部１８がスライド板３の深溝９と係合し、低突起部１９が浅溝１０に係合しているのでスライド板３とホルダー４との間隙Ｓが大きくなり、肩紐２を引っ張れば自由に移動して長さ調整を行うことができる。
【００２０】
肩紐２の長さを調整して適切な長さになると、スライド板３の裏面板６に親指を当て、下方にスライドさせると高突起部１８が浅溝１０に係合すると共に、低突起部１９が表面板５の裏面５ｂと摺接し、小突起１１が凹部２０に嵌りスライド板３とホルダー４との間隙Ｓが小さくなり、肩紐２を挟圧するのと相俟って隆起部７が肩紐２に喰い込み肩紐２を引っ張っても動くことがなく、肩紐本来の機能である乳房の吊り上げによる整形の効果を発揮できる。
【００２１】
以上、本発明の主要な実施の形態について説明したが、本発明は、これらの実施に限定されるものではなく、発明の目的を達成でき、且つ発明の要旨を逸脱しない範囲内で種々の設計変更が可能であり、それらも全て本発明の範囲内に包含されるものである。
【産業上の利用可能性】
【００２２】
ブラジャーなどの女性用下着に限るものではなく、インナー、アウターなど衣類全般の肩紐にも利用できるものである。
【図面の簡単な説明】
【００２３】
【図１】スライド板の正面図である。
【図２】スライド板の背面図である。
【図３】スライド板の左側面図である。
【図４】裏面板の背面図である。
【図５】図４のＡ−Ａ線断面図である。
【図６】図４のＢ−Ｂ線断面図である。
【図７】スライド板を肩紐に一体に取り付けた断面図である。
【図８】ホルダーの正面図である。
【図９】ホルダーの底面図である。
【図１０】図８のＣ−Ｃ線断面図である。
【図１１】スライド板とホルダーの係合状態の正面図である。
【図１２】図１１のＤ−Ｄ線断面図である。
【図１３】肩紐をロックした状態の縦断側面図である。
【図１４】肩紐を解除した状態の縦断側面図である。
【図１５】従来の肩紐調整具の正面図である。
【図１６】肩紐に取り付けた状態の断面図である。
【図１７】別の従来の肩紐調整具の背面図である
【図１８】肩紐に取り付けた状態の断面図である。
【符号の説明】
【００２４】
１    調整具
２    肩紐
３    スライド板
４    ホルダー
５    表面板
６    裏面板
９    深溝
１０  浅溝
１３  突起爪
１７  側枠
１８  高突起部
１９  低突起部
【図１】
2005113306.tif 000003
【図２】
2005113306.tif 000004
【図３】
2005113306.tif 000005
【図４】
2005113306.tif 000006
【図５】
2005113306.tif 000007
【図６】
2005113306.tif 000008
【図７】
2005113306.tif 000009
【図８】
2005113306.tif 000010
【図９】
2005113306.tif 000011
【図１０】
2005113306.tif 000012
【図１１】
2005113306.tif 000013
【図１２】
2005113306.tif 000014
【図１３】
2005113306.tif 000015
【図１４】
2005113306.tif 000016
【図１５】
2005113306.tif 000017
【図１６】
2005113306.tif 000018
【図１７】
2005113306.tif 000019
【図１８】
2005113306.tif 000020